(57)【要約】【課題】布団干しと衣類干しを併用でき、老人や婦女子でも容易に布団を掛けたり回収したりすることができる布団干し具を提供する。【解決手段】一対の物干し台２Ａ，２Ｂと、該一対の物干し台２Ａ，２Ｂに懸架される物干し竿３とを有する布団干し具１であって、一方の物干し台２Ａには、昇降機構を設け、物干し竿３は昇降機構に連結されて昇降可能にされ、もう一方の物干し台２Ｂには、物干し竿３からの力によって従動する従動昇降機構を設けた。【選択図】図１
2009226223.tif 000002
【特許請求の範囲】
【請求項１】
一対の物干し台と、該一対の物干し台に懸架される物干し竿とを有する布団干し具であって、
一方の前記物干し台には、昇降機構が設けられ、
前記物干し竿は前記昇降機構に連結されて昇降可能にされ、
もう一方の前記物干し台には、物干し竿からの力によって従動する従動昇降機構が設けられていることを特徴とする布団干し具。
【請求項２】
前記昇降機構は、作業者の操作により正回転と負回転とを切換え可能なモータと、上下方向に沿って配置され且つ前記モータによって駆動される環状部材とを有し、
前記物干し竿は前記環状部材に連結されて昇降可能にされていることを特徴とする請求項１に記載の布団干し具。
【請求項３】
前記環状部材は、チェーン、ベルト、又はキャタピラであることを特徴とする請求項２に記載の布団干し具。
【請求項４】
前記昇降機構は、作業者の操作により正回転と負回転とを切換え可能なモータと、ボールネジとを有し、
前記従動昇降機構は、物干し竿の移動をガイドするガイド部材を有し、
前記物干し竿はスライダとして機能することを特徴とする請求項１に記載の布団干し具。
【発明の詳細な説明】
【技術分野】
【０００１】
本発明は、布団干し用の物干し竿を有する布団干し具に関する。より詳しくは、布団を干した状態で物干し竿を上下に移動させる構造にされ布団掛け作業及び布団回収作業を容易に行うことができる布団干し具に関する。
【背景技術】
【０００２】
従来、一対の物干し台に物干し竿を懸架する布団干し具が知られている（例えば、特許文献１参照）。
この布団干し具は、図４に示すように、一対の物干し台１００に懸架された物干し竿１０１に布団１０２を掛け、布団１０２を２つ折りにするものである。この物干し台１００は、コンクリート製の台座１００ａと、この台座１００ａに取り付けられたＴ字状のフレーム部１００ｂとからなっており、Ｔ字の上辺に物干し竿１０１を懸架するため、物干し竿１０１の高さはフレーム部１００ｂのＴ字の上辺の位置によって決まっていた。
図４の布団干し具は、物干し竿１０１にハンガーを吊り下げることで、衣類を干すこともできる。この物干し具は、物干し竿１０１に大きな水平方向の力を加えても、台座１００ａが重いため、物干し台１００が転倒し難い点で優れている。
【先行技術文献】
【特許文献】
【０００３】
【特許文献１】特開２００６−３４６３８５号公報
【発明の概要】
【発明が解決しようとする課題】
【０００４】
しかし、上述した従来の布団干し具では、物干し竿１０１の位置が高く、布団掛け作業や布団回収作業を行い難くかった。例えば、布団を掛けるときや回収するときに物干し竿が動いて落下することがあった。また、例えば、布団の位置が高く、老人や婦女子の力では布団を掛けたり取り込んだりすることができないことがあった。
また、適度な高さの布団干し具を別途容易すると、図４の物干し具と併設することになり、スペースを必要とした。そのため、容易に布団を掛けたり回収したりすることができる布団干しと、衣類干しとを併用できる布団干し具が望まれていた。
【０００５】
本発明は上記事情に鑑みてなされたものであり、布団干しと衣類干しを併用でき、老人や婦女子でも容易に布団を掛けたり回収したりすることができる布団干し具を提供することを目的とする。
【課題を解決するための手段】
【０００６】
本発明者は、このような課題に対して鋭意研究を重ねた結果、物干し竿を昇降させることができる機構を設けることにより、老人や婦女子でも容易に布団を掛けたり回収したりすることができることを見出し、本発明を完成するに至った。
本発明の布団干し具は、一対の物干し台と、該一対の物干し台に懸架される物干し竿とを有する布団干し具であって、一方の前記物干し台には、昇降機構が設けられ、前記物干し竿は前記昇降機構に連結されて昇降可能にされ、もう一方の前記物干し台には、物干し竿からの力によって従動する従動昇降機構が設けられていることを特徴とする。
本発明によれば、布団を物干し竿に掛けるときと物干し竿から回収するときに物干し竿の位置を低くすることができるので、老人でも容易に布団を物干し竿に掛けたり、布団を物干し竿から回収したりすることができる。
【０００７】
具体的構成としては、例えば、昇降機構は、作業者の操作により正回転と負回転とを切換え可能なモータと、上下方向に沿って配置され且つ前記モータによって駆動される環状部材とを有するようにし、物干し竿を環状部材に連結して昇降可能にする構成が挙げられる。従動昇降機構は、モータを使用しないものの物干し竿の昇降に従動するようにする。環状部材としては、例えば、チェーン、ベルト、又はキャタピラを用いることができる。
【０００８】
又は、例えば、前記昇降機構は、作業者の操作により正回転と負回転とを切換え可能なモータと、ボールネジとを有するようにし、従動昇降機構は、物干し竿の移動をガイドするガイド部材を有するようにし、物干し竿をスライダとして機能させてもよい。
【発明の効果】
【０００９】
本発明の物干し具では、一方の物干し台には昇降機構が設けられ、物干し竿は昇降機構に連結されて昇降可能にされ、もう一方の物干し台には、物干し竿からの力によって昇降する従動昇降機構が設けられているので、物干し竿をモータなどを用いて機械的に昇降させることができる。これにより、布団を物干し竿に掛けるときと物干し竿から回収するときに物干し竿の位置を低くすることができるので、老人でも容易に布団を物干し竿に掛けたり、布団を物干し竿３から回収したりすることができる。すなわち、布団干しと衣類干しを併用でき、老人や婦女子でも容易に布団を掛けたり取り込んだりすることができる。一方、布団を干している間は物干し竿の位置を高くして、布団の片面の日干し側全面に日光を均一に照射することができる。
【図面の簡単な説明】
【００１０】
【図１】図１は、本発明の布団干し具の一実施形態を示す説明図である。
【図２】図２は、図１の布団干し具の昇降機構を示す説明図である。
【図３】図３は、図１の布団干し具の従属昇降機構を示す説明図である。
【図４】図４は、従来の布団干し具の一般的な例を示す説明図である。
【発明を実施するための形態】
【００１１】
以下、本発明を実施するための最良の形態を図面を用いて説明する。
図１は、本発明の布団干し具の一実施形態を示している。本実施形態の布団干し具１は、一対の物干し台２Ａ，２Ｂと、該一対の物干し台２Ａ，２Ｂに懸架される物干し竿３とを有している。物干し台２Ａ，２Ｂ及び物干し竿３の材質には、耐候性のある材料が好ましく、例えば、アクリル樹脂やステンレス鋼を用いることができる。本発明では、一方の物干し台２Ａには、昇降機構４（図２記載）が設けられている。物干し竿３は昇降機構４に連結されて昇降可能にされ、もう一方の物干し台２Ｂには、物干し竿３からの力によって従動する従動昇降機構５（図３記載）が設けられている。物干し竿３の昇降は、物干し台２Ａに設けられた昇降スイッチ４１を押すことで行うことができる。
【００１２】
図２は、物干し台２Ａの内部機構である昇降機構４を示している。この昇降機構４は、作業者の昇降スイッチ４１の操作により正回転と負回転とを切換え可能なモータ４２と、上下方向に沿って配置され且つモータ４２によって駆動される環状部材であるベルト４３とを有している。モータ４２の回転方向の切換えは、昇降スイッチ４１の上ボタンの押下と下ボタンの押下とを切り換えることによって行う。より具体的には、下ボタンが押下されているときに上ボタンを押下すると、下ボタンは既定の位置に戻る構造にされている。
【００１３】
この昇降スイッチ４１は、上ボタンを押下中に上ボタンが既定位置に戻る程度に下ボタンを軽く押すと、上ボタンが既定位置に戻り、物干し竿３の上昇がストップする。同様に、下ボタンを押下中に下ボタンが既定位置に戻る程度に上ボタンを軽く押すと、下ボタンが既定位置に戻り、物干し竿３の下降がストップする。
【００１４】
モータ４２の回転力は、基板４４に取り付けられた不図示のベアリングに軸支された回転軸４５に伝達される。回転軸４５が回転すると、回転軸４５と、回転軸４５の上方に設けられた回転軸４６との間に掛け渡された無端状のベルト４３が回転する。なお、回転軸４６は回転軸４５と同様に不図示のベアリングを介して基板４４に軸支されている。回転軸４６は基板４４による支持だけでは１点支持になるため、基板４４と間隔を置いてもう一枚基板を設け、この基板に設けられたベアリングを用いて２点支持にするとよい。
【００１５】
ベルト４３には箱状部材４７が取り付けられており、この箱状部材４７に物干し竿３の一端が連結されている。例えば、箱状部材４７の側面に穴を形成し、そこに物干し竿３の一端を挿入する構成にされる。この箱状部材４７を介して物干し竿３はベルト４３に連結されて昇降可能にされている。なお、環状部材としては、ベルトに限定されることはなく、チェーンやキャタピラその他の環状の部材を用いることができる。
【００１６】
図３は、物干し台２Ｂの内部機構である従動昇降機構５を示している。この従動昇降機構５は、基板５１を有し、基板５１には上下方向に沿って一対のベアリング５２，５３が設けられている。このベアリング５２，５３には、それぞれ回転軸５４，５５が内嵌されている。この回転軸５４，５５は基板５１による支持だけでは１点支持になるため、基板５１と間隔を置いてもう一枚基板を設け、この基板に設けられたベアリングを用いて２点支持にするとよい。
【００１７】
下側の回転軸５４と上側の回転軸５５とには、環状部材であるベルト５６が掛け渡されている。なお、環状部材としては、ベルトに限定されることはなく、チェーンやキャタピラその他の環状の部材を用いることができる。ベルト５６には箱状部材５７が取り付けられており、この箱状部材５７に物干し竿３の他端が連結されている。例えば、箱状部材４７と同様に、箱状部材５７の側面に穴を形成し、そこに物干し竿３の他端を挿入する構成にされる。この箱状部材５７を介して物干し竿３はベルト５６に連結されている。
【００１８】
上述した構成の布団干し具１では、昇降スイッチ４１のボタンを押下してモータ４２を駆動すると、回転軸４５、ベルト４３、箱状部材４７を介して物干し竿３に駆動力が伝達される。従動昇降機構５の箱状部材５７は物干し竿３の上下方向の移動を拘束しないため、物干し竿３は箱状部材４７，５７によって両端を支持されながら上下方向に移動する。物干し竿３が昇降すると、これに伴いベルト５６も定位置で回転する。
【００１９】
次に、本実施形態の布団干し具１の使用方法について説明する。
力の弱い老人や婦女子が布団を干す場合に、物干し竿３が高い位置にあると、布団を干すときに力が必要になるので、力作業となり、嫌悪感を抱く場合がある。そのため、布団を干すときは、昇降スイッチ４１の下ボタンを押下し、物干し竿３の位置を下げる。この状態で布団を干した後、昇降スイッチ４１の上ボタンを押下して物干し竿３を上昇させると、物干し竿３に掛けられた布団も上昇する。物干し竿３の位置を高くすれば、地面に布団の端部が接触することがなく、蟻などの昆虫が這い上がって来ることはなく、安心して布団を干すことができる。
【００２０】
また、低い位置にある物干し竿３に布団を掛ける際に、布団の３分の１程度を掛けた状態で物干し竿３を上昇させ、布団の位置が高くなってから布団の折返し部分付近を把持して布団の位置をずらせば、大きな腕力を必要とせず、老人や婦女子でも容易に布団干し作業を行うことができる。勿論、３分の２程度の部分を日干しする場合には、布団の位置をずらさなくてもよい。
一方、布団を回収する場合には、昇降スイッチ４１の下ボタンを押下し、物干し竿３の位置を下げ、作業者が容易に布団を取り込むことができる高さにしてから、布団を回収する。
【００２１】
上述した実施形態の布団干し具１では、一方の物干し台２Ａには昇降機構４が設けられ、物干し竿３は昇降機構４に連結されて昇降可能にされ、もう一方の物干し台２Ｂには、物干し竿３からの力によって従動する従動昇降機構５が設けられているので、物干し竿３をモータ４２を用いて機械的に昇降させることができる。これにより、布団を物干し竿３に掛けるときと物干し竿３から回収するときに物干し竿３の位置を低くすることができるので、老人でも容易に布団を物干し竿３に掛けたり、布団を物干し竿３から回収したりすることができる。すなわち、布団干しと衣類干しを併用でき、老人や婦女子でも容易に布団を掛けたり取り込んだりすることができる。一方、布団を干している間は物干し竿３の位置を高くして、布団の片面の日干し側全面に日光を均一に照射することができる。
【００２２】
以上、本発明を説明してきたが、本発明は上述した実施形態にのみ限定されるものではなく、その本質を逸脱しない範囲で、種々の変形が可能であることは言うまでもない。
【００２３】
例えば、上述した実施形態では、従動昇降機構５を用いた例について説明したが、従動昇降機構５を昇降機構４と同様にして、両側駆動の構造にしてもよい。この場合、昇降スイッチ４１は両側の各モータに接続して同期させる。
また、昇降機構４は、作業者の操作により正回転と負回転とを切換え可能なモータ４２と、ボールネジとを有するようにし、従動昇降機構５は、物干し竿３の移動をガイドするガイド部材を有するようにし、物干し竿３をスライダとして機能させてもよい。ガイド部材としては、棒やパイプを用いることができる。この場合、スムーズに物干し竿３を昇降させることができるように、物干し竿３を撓み難くすることが好ましく、物干し竿３に剛性の高い部材を用いることが好ましい。
勿論、本発明は、物干し竿３を昇降させることができる構成であればよい。
【産業上の利用可能性】
【００２４】
本発明は、布団干し具に適用することができる。この布団干し具は、衣類等を干すのにも用いることができる。また、重いシート状の物を棒に掛ける場合に広く適用することができる。
【符号の説明】
【００２５】
１  布団干し具
２Ａ，２Ｂ  物干し具
３  物干し竿
４  昇降機構
４１  昇降スイッチ
４２  モータ
４３  ベルト
４４  基板
４５，４６  回転軸
４７  箱状部材
５  従動昇降機構
５１  基板
５２，５３  ベアリング
５４，５５  回転軸
５６  ベルト
５７  箱状部材
１００  物干し台
１００ａ  台座
１００ｂ  フレーム部
１０１  物干し竿
１０２  布団
【図１】
2009226223.tif 000003
【図２】
2009226223.tif 000004
【図３】
2009226223.tif 000005
【図４】
2009226223.tif 000006
【手続補正書】
【提出日】平成21年6月3日(2009.6.3)
【手続補正１】
【補正対象書類名】明細書
【補正対象項目名】０００４
【補正方法】変更
【補正の内容】
【０００４】
しかし、上述した従来の布団干し具では、物干し竿１０１の位置が高く、布団掛け作業や布団回収作業を行い難くかった。例えば、布団を掛けるときや回収するときに物干し竿が動いて落下することがあった。また、例えば、布団の位置が高く、老人や婦女子の力では布団を掛けたり取り込んだりすることができないことがあった。
また、適度な高さの布団干し具を別途用意すると、図４の物干し具と併設することになり、スペースを必要とした。そのため、容易に布団を掛けたり回収したりすることができる布団干しと、衣類干しとを併用できる布団干し具が望まれていた。
【手続補正書】
【提出日】平成21年6月9日(2009.6.9)
【手続補正１】
【補正対象書類名】明細書
【補正対象項目名】０００９
【補正方法】変更
【補正の内容】
【０００９】
本発明の布団干し具では、一方の物干し台には昇降機構が設けられ、物干し竿は昇降機構に連結されて昇降可能にされ、もう一方の物干し台には、物干し竿からの力によって昇降する従動昇降機構が設けられているので、物干し竿をモータなどを用いて機械的に昇降させることができる。これにより、布団を物干し竿に掛けるときと物干し竿から回収するときに物干し竿の位置を低くすることができるので、老人でも容易に布団を物干し竿に掛けたり、布団を物干し竿から回収したりすることができる。すなわち、布団干しと衣類干しを併用でき、老人や婦女子でも容易に布団を掛けたり取り込んだりすることができる。一方、布団を干している間は物干し竿の位置を高くして、布団の片面の日干し側全面に日光を均一に照射することができる。
【手続補正２】
【補正対象書類名】明細書
【補正対象項目名】００１０
【補正方法】変更
【補正の内容】
【００１０】
【図１】図１は、本発明の布団干し具の一実施形態を示す説明図である。
【図２】図２は、図１の布団干し具の昇降機構を示す説明図である。
【図３】図３は、図１の布団干し具の従動昇降機構を示す説明図である。
【図４】図４は、従来の布団干し具の一般的な例を示す説明図である。
【手続補正書】
【提出日】平成21年8月13日(2009.8.13)
【手続補正１】
【補正対象書類名】特許請求の範囲
【補正対象項目名】全文
【補正方法】変更
【補正の内容】
【特許請求の範囲】
【請求項１】
一対の物干し台と、該一対の物干し台に懸架される物干し竿とを有する布団干し具であって、
一方の前記物干し台には、昇降機構が設けられ、
前記物干し竿は前記昇降機構に連結されて昇降可能にされ、
もう一方の前記物干し台には、物干し竿からの力によって従動する従動昇降機構が設けられており、
前記昇降機構は、作業者の操作により正回転と負回転とを切換え可能なモータと、上下方向に沿って配置され且つ前記モータによって駆動される環状部材とを有し、
前記物干し竿は前記環状部材に連結されて昇降可能にされており、
前記モータの回転方向の切換えは、昇降スイッチの上ボタンの押下と下ボタンの押下とを切り換えることによって行われ、
上ボタンを押下中に上ボタンが既定位置に戻る程度に下ボタンを軽く押すと、上ボタンが既定位置に戻り、物干し竿の上昇がストップするようにされ、
下ボタンを押下中に下ボタンが既定位置に戻る程度に上ボタンを軽く押すと、下ボタンが既定位置に戻り、物干し竿の下降がストップするようにされていることを特徴とする布団干し具。